(57)【要約】【課題】  テレビジョン放送の視聴によって、いざというときに本来の機能が使えないという状況の発生を抑制する。【解決手段】  統括制御部１１０は、ユーザ設定取得部１０１が取得したユーザ設定情報に基づいて画像処理設定情報を生成し、この画像処理設定情報と、環境照度取得部１０２が取得した検出照度と、電子番組ガイドEPGとを消費電流算出部１０５に通知して、消費電流値を算出させる。また統括制御部１１０は、電子番組ガイドEPGと現在時刻とに基づいて、視聴中の番組の残り時間を求め、この残り時間と上記消費電流値とバッテリ残量算出部１０３が算出したバッテリ残電力とに基づいて、視聴中の番組が最後まで視聴できるように、受信画像処理部１０７と表示制御部１０８を制御するようにしたものである。【選択図】      図２
2010041222.tif 000002
【特許請求の範囲】
【請求項１】
映像データを受信する受信手段と、
バッテリに蓄積されている電力を検出する電力検出手段と、
この電力検出手段の検出結果に応じて、前記受信手段が受信した映像データに、画質を制御する処理を選択的に実施する画質制御手段と、
この画質制御手段が出力する映像データに基づく映像を表示する表示手段とを具備することを特徴とする携帯型電子機器。
【請求項２】
さらに、前記映像データの番組情報を取得する取得手段と、
この取得手段が取得した番組情報に基づいて、番組の残り時間を検出する時間検出手段と、
消費電流を検出する消費電流検出手段とを備え、
前記画質制御手段は、前記電力検出手段の検出結果と、前記時間検出手段が検出した残り時間と、前記消費電流検出手段が検出した消費電流に応じて、前記受信手段が受信した映像データに、画質を制御する処理を選択的に実施することを特徴とする請求項１に記載の携帯型電子機器。
【請求項３】
前記画質制御手段は、選択的に実施可能な画質を制御する処理を複数備え、前記電力検出手段の検出結果と、前記時間検出手段が検出した残り時間と、前記消費電流検出手段が検出した消費電流に応じて、前記受信手段が受信した映像データに前記処理を選択的に実施することを特徴とする請求項２に記載の携帯型電子機器。
【請求項４】
前記画質制御手段は、画質を制御する処理を複数備え、前記電力検出手段の検出結果に応じて、前記受信手段が受信した映像データに、前記処理を選択的に実施することを特徴とする請求項１に記載の携帯型電子機器。
【請求項５】
さらに、前記画質制御手段が備える前記処理の優先順位を示す情報を記憶する記憶手段を備え、
前記画質制御手段は、前記電力検出手段の検出結果と、前記記憶手段が記憶する情報に応じて、前記受信手段が受信した映像データに、前記処理を選択的に実施することを特徴とする請求項４に記載の携帯型電子機器。
【請求項６】
さらに、前記映像データの番組情報を取得する取得手段と、
この取得手段が取得した番組情報に基づいて、番組のジャンルを検出するジャンル検出手段とを備え、
前記記憶手段は、番組のジャンルごとに、前記画質制御手段が備える前記処理の優先順位を示す情報を記憶し、
前記画質制御手段は、前記電力検出手段の検出結果と、前記記憶手段が記憶する情報と、前記ジャンル検出手段が検出したジャンルに応じて、前記受信手段が受信した映像データに、前記処理を選択的に実施することを特徴とする請求項５に記載の携帯型電子機器。
【請求項７】
映像データを受信する受信工程と、
バッテリに蓄積されている電力を検出する電力検出工程と、
この電力検出工程の検出結果に応じて、前記受信工程で受信した映像データに、画質を制御する処理を選択的に実施する画質制御工程と、
この画質制御工程で選択的に処理された映像データに基づく映像を表示する表示工程とを具備することを特徴とする映像表示方法。
【発明の詳細な説明】
【技術分野】
【０００１】
この発明は、例えばテレビジョン放送を受信可能な携帯電話機などの携帯型電子機器に関する。
【背景技術】
【０００２】
周知のように、携帯電話機やノート型パーソナルコンピュータなどのバッテリ駆動型の電子機器にあっては、地上波デジタル放送などのテレビジョン放送を受信する受信機を備えるものがある（例えば、特許文献１参照）。また最近では、画像処理技術の向上により、小型のディスプレイであっても、高い画質で視聴できるようになった。  
しかしながら、画質改善のための画像処理は、消費電力を増大させるため、バッテリで駆動する携帯型電子機器にあっては、駆動時間が短くなってしまう。このため、画像処理を伴うテレビジョン放送の視聴によって、いざというときに、本来の通信機能など、他の機能が使えないという状況が発生したり、あるいは番組を最後まで視聴できない状況が発生し、ユーザの利便性を著しく損なう問題があった。
【特許文献１】特開２００７−２３５５２７公報
【発明の開示】
【発明が解決しようとする課題】
【０００３】
従来の携帯型電子機器では、画質改善のための画像処理などによって消費電力が増大し、駆動時間が短くなってしまう。このため、画像処理を伴うテレビジョン放送の視聴によって、いざというときに他の機能が使えないという状況が発生したり、あるいは番組を最後まで視聴できない状況が発生し、ユーザの利便性を著しく損なう問題があった。
【０００４】
この発明は上記の問題を解決すべくなされたもので、テレビジョン放送の視聴によって、いざというときに他の機能が使えないという状況の発生を抑制し、ユーザの利便性を向上させた携帯型電子機器および映像表示方法を提供することを目的とする。
【課題を解決するための手段】
【０００５】
上記の目的を達成するために、この発明は、映像データを受信する受信手段と、バッテリに蓄積されている電力を検出する電力検出手段と、この電力検出手段の検出結果に応じて、受信手段が受信した映像データに、画質を制御する処理を選択的に実施する画質制御手段と、この画質制御手段が出力する映像データに基づく映像を表示する表示手段とを具備して構成するようにした。
【発明の効果】
【０００６】
以上述べたように、この発明では、バッテリに蓄積されている電力に応じて、映像データに対する画質制御処理を選択的に実施するようにしている。  
したがって、この発明によれば、バッテリに蓄積されている電力に応じて、映像の視聴に伴う画質制御処理によるバッテリ消費を抑制でき、これにより、いざというときに他の機能が使えないという状況の発生を抑制し、ユーザの利便性を向上させた携帯型電子機器および映像表示方法を提供できる。
【発明を実施するための最良の形態】
【０００７】
以下、図面を参照して、この発明の一実施形態について説明する。  
図１は、この発明の実施形態に係わる携帯型電子機器の構成を示すブロック図である。ここでは、携帯型電子機器の一例として、地上ディジタル放送を受信可能な携帯電話機を例に挙げている。この携帯型電子機器は、主な構成要素として、制御部１００と、無線通信部１０と、表示部２０と、通話部３０と、操作部４０と、記憶部５０と、放送受信部６０と、照度検出部７０と、バッテリ８０と、電圧検出部９０とを備え、基地局装置ＢＳおよび移動通信網ＮＷを介して通信する機能と、放送局ＢＣから送信される地上デジタル放送信号を受信する機能とを備える。
【０００８】
無線通信部１０は、制御部１００の指示にしたがって、移動通信網ＮＷに収容された基地局装置ＢＳと無線通信を行うものであって、この無線通信により、音声データや電子メールデータなどの送受信、Ｗｅｂデータやストリーミングデータなどの受信を行う。  
表示部２０は、例えばLCD(Liquid Crystal Display)や有機EL(Electro Luminescence)ディスプレイなどを用いた表示手段であって、制御部１００の制御により、画像（静止画像および動画像）や文字情報などを表示して、視覚的にユーザに情報を伝達するものである。
【０００９】
通話部３０は、スピーカ３１やマイクロホン３２を備え、マイクロホン３２を通じて入力されたユーザの音声を音声データに変換して制御部１００に出力したり、通話相手などから受信した音声データを復号してスピーカ３１から出力するものである。  
操作部４０は、複数のキースイッチなどを備え、これを通じてユーザから指示を受け付けるものである。
【００１０】
記憶部５０は、制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。なお、具体的には、ＨＤＤ、ＲＡＭ、ＲＯＭ、フラッシュメモリなどで構成され、これらの１つで、または複数を組み合わせて構成することができる。
【００１１】
放送受信部６０は、放送局ＢＣから送信される地上デジタル放送信号を受信するチューナであって、フルセグメント放送の信号とワンセグメント放送を受信可能で、受信信号から放送データ（符号化ストリーム）を得る。  
照度検出部７０は、当該携帯型電子機器の周囲の照度、例えば表示部２０の表示面に入射する光の照度を検出する。
【００１２】
バッテリ８０は、当該携帯型電子機器の駆動電力を蓄積するものであって、リチウムイオン、ニッケル水素あるいは燃料電池などを用いた二次電池である。バッテリ８０に蓄積された電力は、各部に駆動電力として供給され、その制御は制御部１００によってなされる。  
電圧検出部９０は、バッテリ８０の電圧を検出するものである。ここで検出された電圧は、制御部１００がバッテリ８０に蓄積されている電力を判定するのに用いられる。
【００１３】
制御部１００は、マイクロプロセッサを備え、記憶部５０が記憶する制御プログラムや制御データにしたがって動作し、当該移動無線端末装置の各部を統括して制御し、音声通信やデータ通信を実現するものである。また制御部１００は、記憶部５０が記憶するアプリケーションソフトウェアにしたがって動作し、電子メールの送受信や、Ｗｅｂブラウジング、ダウンロードしたストリーミングデータに基づいて動画像を表示部２０に表示したり、音声通信を行う通信制御機能を備える。
【００１４】
また制御部１００は、照度検出部７０の検出結果に応じて、表示部２０の輝度を制御する輝度制御機能を備える。すなわち、照度検出部７０が予め設定した閾値以上の照度を検出した場合には、表示部２０における表示を見やすくするために、輝度を上げ、一方、照度検出部７０が予め設定した閾値以下の照度を検出した場合には、まぶしさを抑えるために表示部２０における輝度を下げる。なお、この輝度制御機能よりも、後述する統括制御部１１０による輝度制御の方が優先される。
【００１５】
そして制御部１００は、表示部２０に表示する画像の画質改善や、消費電力の抑制に関する制御機能を備える。この制御機能は、図２に示すような構成により実現する。すなわち、制御部１００は、ユーザ設定取得部１０１と、環境照度取得部１０２と、バッテリ残量算出部１０３と、電子番組表取得部１０４と、消費電流算出部１０５と、サーバアクセス制御部１０６と、受信画像処理部１０７と、表示制御部１０８と、統括制御部１１０とを備える。
【００１６】
ユーザ設定取得部１０１は、統括制御部１１０からの指示にしたがって、操作部４０を通じて、ユーザから設定される情報（以下、ユーザ設定情報と称する）を取得するものである。ユーザ設定情報は、統括制御部１１０に出力される。
【００１７】
ユーザ設定情報の一例としては、例えば、ワンセグ受信／フルセグ受信の別を示す設定情報、フレーム補間の実施／非実施を示す設定情報、フレーム間引きの実施／非実施を示す設定情報、エンハンサによる強調処理の実施／非実施を示す設定情報、階調や色についての補正の実施／非実施を示す設定情報、表示輝度の設定情報などが含まれる。
【００１８】
環境照度取得部１０２は、統括制御部１１０からの指示にしたがって、照度検出部７０が検出した照度（以下、検出照度と称する）を取得するものである。検出照度は、統括制御部１１０に出力される。
【００１９】
バッテリ残量算出部１０３は、統括制御部１１０からの指示にしたがって、電圧検出部９０が検出した電圧に基づいて、バッテリ８０が蓄積している電力を算出するものである。ここで算出された電力（以下、バッテリ残電力と称する）は、統括制御部１１０に出力される。
【００２０】
電子番組表取得部１０４は、統括制御部１１０からの指示にしたがって、放送受信部６０が受信した放送データから、電子番組ガイドEPG(Electronic Program Guide)を取得するものである。ここで得られた電子番組ガイドEPGは、統括制御部１１０に出力される。
【００２１】
消費電流算出部１０５は、統括制御部１１０から通知される画像処理設定情報、検出照度および電子番組ガイドEPGに基づいて、テレビ放送を視聴するために消費する電流値を算出する。ここで算出された電流値（以下、消費電流値と称する）は、統括制御部１１０に出力される。
【００２２】
サーバアクセス制御部１０６は、統括制御部１１０からの指示にしたがって、無線通信部１０を制御して、基地局装置ＢＳおよび移動通信網ＮＷを介して通信し、インターネットを介して予め設定されたサーバに接続し、このサーバから制御情報を取得する通信制御機能を備える。制御情報の一例を、図３に示す。
【００２３】
図３では、例Aから例Eまでを併せて示しているが、いずれか１つを制御情報としてサーバから取得する。すなわち、視聴中の番組のジャンルに応じて、サーバが対応する制御情報を当該携帯型電子機器に提供する。制御情報では、当該携帯型電子機器において、テレビ放送を視聴する際に選択的に実施可能な処理をオフにする優先順位を示している。
【００２４】
受信画像処理部１０７は、統括制御部１１０から通知される画像処理設定情報にしたがって、動画像信号に画像処理を施して映像信号を得る。図４に、受信画像処理部１０７の構成例を示す。すなわち、受信画像処理部１０７は、デマルチプレクサ１０７１と、デコーダ１０７２と、フレーム補間部１０７３と、フレーム間引き部１０７４と、選択部１０７５と、エンハンサ１０７６と、補正部１０７７とを備える。
【００２５】
デマルチプレクサ１０７１は、統括制御部１１０から通知される画像処理設定情報にしたがって、放送受信部６０で得られた放送データ（符号化ストリーム）から、フルセグメント放送の放送データとワンセグメント放送の放送データとのうち、一方の放送データを選択的に抽出し、デコーダ１０７２に出力する。
【００２６】
デコーダ１０７２は、デマルチプレクサ１０７１から出力される放送データをデコードして、フレーム単位の映像データを得る。そしてデコーダ１０７２は、統括制御部１１０から通知される画像処理設定情報にしたがって、上記映像データを、フレーム補間部１０７３、フレーム間引き部１０７４あるいは選択部１０７５のいずれかに出力する。
【００２７】
フレーム補間部１０７３は、統括制御部１１０から通知される画像処理設定情報にしたがって動作するものであって、動作する場合に、上記デコーダ１０７２から出力される複数のフレームの映像データに基づいて、フレーム間を補間するフレームの映像データを生成する。そしてフレーム補間部１０７３は、上記デコーダ１０７２から与えられた映像データと、上記生成した映像データを、再生順序にしたがって選択部１０７５に出力する。
【００２８】
フレーム間引き部１０７４は、統括制御部１１０から通知される画像処理設定情報にしたがって動作するものであって、動作する場合に、上記デコーダ１０７２から出力される複数のフレームの映像データを、予め設定した割合で間引き、残るフレームの映像データだけを選択部１０７５に出力する。
【００２９】
選択部１０７５は、統括制御部１１０から通知される画像処理設定情報に基づいて、フレーム補間部１０７３、フレーム間引き部１０７４あるいはデコーダ１０７２のいずれから映像データが出力されるかを判定し、この判定結果に基づくブロックから出力される映像データをエンハンサ１０７６に出力する。
【００３０】
エンハンサ１０７６は、統括制御部１１０から通知される画像処理設定情報にしたがって動作するものであって、動作する場合に、選択部１０７５から出力される映像データに、映像のエッジを強調する補正処理を施し、この処理を施した映像データを補正部１０７７に出力する。一方、動作しない場合には、選択部１０７５から出力される映像データをそのまま補正部１０７７に出力する。
【００３１】
補正部１０７７は、統括制御部１１０から通知される画像処理設定情報にしたがって動作するものであって、動作する場合に、エンハンサ１０７６から出力される映像データに、階調や色を補正する補正処理を施し、この処理を施した映像データを表示制御部１０８に出力する。一方、動作しない場合には、エンハンサ１０７６から出力される映像データをそのまま表示制御部１０８に出力する。
【００３２】
表示制御部１０８は、統括制御部１１０からの指示にしたがって、補正部１０７７から出力される映像データに基づく映像を表示部２０に表示させる。また表示制御部１０８は、統括制御部１１０から通知される画像処理設定情報にしたがって、表示部２０で表示する映像の輝度を制御する。
【００３３】
統括制御部１１０は、制御部１００内の各部を統括して制御するものであって、ユーザ設定情報に基づく画像処理設定情報を生成し、この画像処理設定情報と、検出照度と、電子番組ガイドEPGとを消費電流算出部１０５に通知して、消費電流値を算出させる。また統括制御部１１０は、電子番組ガイドEPGと現在時刻とに基づいて、視聴中の番組の残り時間を求め、この残り時間と、上記消費電流値と、バッテリ残電力とに基づいて、視聴中の番組が最後まで視聴できるように、受信画像処理部１０７および表示制御部１０８を制御する。
【００３４】
次に、図５を参照して、上記構成の携帯型電子機器の動作について説明する。なお、以下の説明では、携帯電話機としての通信機能の動作についての説明は省略し、地上デジタル放送を視聴する際の動作について説明する。
【００３５】
なお、以下の動作の基となる制御プログラムは、記憶部５０に記憶され、この制御プログラムを制御部１００が実行することにより実現する。また以下に説明する動作は、操作部４０を通じて、ユーザから地上デジタル放送の視聴要求があると、これを検出した統括制御部１１０によって開始される。
【００３６】
まずステップ５ａにおいて統括制御部１１０は、ユーザ設定取得部１０１に指示を与える。これにより、ユーザ設定取得部１０１は、操作部４０を通じて、ユーザから地上デジタル放送の視聴に関する設定を受け付ける。そして、ユーザ設定取得部１０１は、取得したユーザ設定を統括制御部１１０に通知する。これに対して、統括制御部１１０は、通知されたユーザ設定に基づいて、画像処理設定情報を生成し、ステップ５ｂに移行する。
【００３７】
ここで、上記画像処理設定情報には、例えば、デマルチプレクサ１０７１での分離に関わるワンセグ受信／フルセグ受信の別を示す設定情報、フレーム補間部１０７３によるフレーム補間の実施／非実施を示す設定情報、フレーム間引き部１０７４によるフレーム間引きの実施／非実施を示す設定情報、エンハンサ１０７６による強調処理の実施／非実施を示す設定情報、補正部１０７７の補正処理の実施／非実施を示す設定情報、表示制御部１０８による輝度制御の設定情報などが含まれる。なお、これらの設定は、予めユーザが設定したものであってもよく、ステップ５ａのように、視聴に際して設定を行うことに限定されない。
【００３８】
ステップ５ｂにおいて統括制御部１１０は、環境照度取得部１０２に指示を与える。これにより、環境照度取得部１０２は、照度検出部７０が検出した照度（検出照度）を取得し、これを統括制御部１１０に出力する。統括制御部１１０は、検出照度を取得すると、ステップ５ｃに移行する。
【００３９】
ステップ５ｃにおいて統括制御部１１０は、バッテリ残量算出部１０３に指示を与える。これにより、バッテリ残量算出部１０３は、電圧検出部９０が検出した電圧に基づいて、バッテリ８０が蓄積している電力（バッテリ残電力）を算出し、これを統括制御部１１０に出力する。統括制御部１１０は、バッテリ残電力を取得すると、ステップ５ｄに移行する。
【００４０】
ステップ５ｄにおいて統括制御部１１０は、受信画像処理部１０７および表示制御部１０８などに指示を与えて、地上デジタル放送の映像を表示させて、ユーザが地上デジタル放送を視聴できるようにするとともに、電子番組表取得部１０４に指示を与える。これにより、電子番組表取得部１０４は、放送受信部６０が受信した放送データから、電子番組ガイドEPGを取得し、これを統括制御部１１０に出力する。統括制御部１１０は、電子番組ガイドEPGを取得すると、ステップ５ｅに移行する。
【００４１】
ステップ５ｅにおいて統括制御部１１０は、上記画像処理設定情報で示される各部の動作設定、ステップ５ｂで取得した検出照度、ステップ５ｄで取得した電子番組ガイドEPGに基づく視聴番組のジャンル情報に基づいて、地上デジタル放送の視聴に関わる消費電流を推定する演算を行う。消費電流が求められると、ステップ５ｆに移行する。
【００４２】
なお、この演算は、予め準備しておいたテーブルを参照して行う。このテーブルには、各部の動作設定や検出照度、視聴番組のジャンル情報に、それぞれ消費電流に関するデータが対応付けられている。また、ここで求める消費電流には、携帯電話機としての待機状態における消費電流を加えてもよい。
【００４３】
ステップ５ｆにおいて統括制御部１１０は、ステップ５ｃで取得したバッテリ残電力と、ステップ５ｅで求めた消費電流とに基づいて、バッテリの持続時間、すなわち視聴が可能な残り時間を算出し、ステップ５ｇに移行する。
【００４４】
ステップ５ｇにおいて統括制御部１１０は、電子番組ガイドEPGから視聴中の番組の終了時刻を検出し、この終了時刻と制御部１００が計時する現在の時刻（または放送信号に含まれる時刻情報）とを比較して、番組の残り時間を算出する。そして、この残り時間と、ステップ５ｆで算出した視聴が可能な残り時間を比較して、視聴中の番組を最後まで視聴するだけの残電力があるか否かを判定する。ここで、視聴が可能な場合には、当該処理を終了し、一方、視聴が不可能な場合には、ステップ５ｈに移行する。なお、当該処理が終了した後は、視聴するチャンネルを切り替えるなど、何らかの操作が操作部４０を通じて行われる度に、図５に示した処理を再実行する。
【００４５】
ステップ５ｈにおいて統括制御部１１０は、インターネット上のサーバから制御情報を取得済みか否かを判定する。ここで、制御情報を取得済みの場合には、ステップ５ｊに移行し、一方、制御情報を取得していない場合には、ステップ５ｉに移行する。
【００４６】
ステップ５ｉにおいて統括制御部１１０は、サーバアクセス制御部１０６に指示を与える。これにより、サーバアクセス制御部１０６は、無線通信部１０を制御して、基地局装置ＢＳおよび移動通信網ＮＷを介して通信し、インターネットを介して予め設定されたサーバに接続し、このサーバから制御情報を取得し、これを統括制御部１１０に出力する。統括制御部１１０は、上記制御情報を記憶し、ステップ５ｊに移行する。
【００４７】
ステップ５ｊにおいて統括制御部１１０は、ステップ５ｉで取得した制御情報に基づいて、画像処理設定情報を更新し、ステップ５ｅに移行する。ここで例えば、視聴している番組のジャンルが「映画」であったとする。初めてステップ５ｊに移行してきた場合には、図４に例示した制御情報において、優先順位１位がフレーム補間オフであることより、画像処理設定情報において、フレーム補間部１０７３によるフレーム補間を非実施に更新する。
【００４８】
そして、二度目にステップ５ｊに移行してきた場合には、図４に例示した制御情報において、優先順位２位がエンハンサオフであることより、画像処理設定情報において、エンハンサ１０７６による強調処理を非実施に更新する。同様に、三度目にステップ５ｊに移行してきた場合には、図４に例示した制御情報において、優先順位３位がフレーム間引きオンであることより、画像処理設定情報において、フレーム間引き部１０７４によるフレーム間引き処理を実施に更新する。
【００４９】
また、四度目にステップ５ｊに移行してきた場合には、図４に例示した制御情報において、優先順位４位がワンセグ切替であることより、フルセグ放送の受信からワンセグ放送の受信に切り替えるために、画像処理設定情報において、デマルチプレクサ１０７１の動作に関する設定を更新する。
【００５０】
そしてまた、五度目にステップ５ｊに移行してきた場合には、図４に例示した制御情報において、優先順位５位が階調・色補正オフであることより、画像処理設定情報において、補正部１０７７による補正処理を非実施に更新する。同様に、六度目にステップ５ｊに移行してきた場合には、図４に例示した制御情報において、優先順位６位が表示輝度の低下であることより、画像処理設定情報において、表示輝度を下げる設定に更新する。
【００５１】
以上のように、上記構成の携帯型電子機器では、バッテリ８０に蓄積された電力に応じて、画質制御機能（フレーム補間部１０７３，フレーム間引き部１０７４，エンハンサ１０７６および補正部１０７７）を選択的にオン／オフするようにしているので、バッテリ８０の電力が少ない場合には、画質制御機能をオフにして、着信待ち受けが行えなくなることを防止できる。
【００５２】
また、視聴に関する画像処理の設定や、バッテリ残量、視聴中の番組の残り時間などに基づいて、最後まで番組が視聴できるかを判断し、この判断結果に応じて、最後まで番組を視聴できるように、画像処理などの設定を消費電力の少ない設定に変更するようにしている。
【００５３】
したがって、上記構成の携帯型電子機器によれば、番組を最後まで視聴できないといった不具合を抑制し、ユーザの利便性を向上させることができる。なお、ステップ５ｇにおける判定で、所定時間の着信待ち受けに要する電力も残るように判定することで、テレビジョン放送の視聴によって、いざというときに本来の通信機能が使えないという状況の発生を抑制できる。
【００５４】
また複数の画質制御機能を、予め設定した優先順にしたがって選択的にオン／オフするようにしているので、バッテリ残量に応じた最良の画質を維持するとともに、運用時間を出来る限り延長することができる。また上記優先順位は、視聴する番組のジャンルに応じて設定するようにしているので、番組のジャンルに適した画質制御機能を優先的に適用して、バッテリ残量に応じた最良の画質を維持することができる。
【００５５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５６】
その一例として例えば、上記実施の形態では、制御情報をインターネット上のサーバから取得するようにしたが、上記制御情報は、予め記憶部５０に記憶しておき、この情報をステップ５ｊで用いるようにしてもよい。  
また上記実施の形態では、地上デジタル放送の放送信号を受信する場合を例に挙げて説明したが、無線通信部１０による通信でインターネットを通じてダウンロードしたストリーミングデータに基づく映像を視聴する場合にも適用することができる。  
その他、この発明の要旨を逸脱しない範囲で種々の変形を施しても同様に実施可能であることはいうまでもない。
【図面の簡単な説明】
【００５７】
【図１】この発明に係わる携帯型電子機器の一実施の形態の構成を示す回路ブロック図。
【図２】図１に示した携帯型電子機器の制御部の構成を示す回路ブロック図。
【図３】図２に示したサーバアクセス制御部が取得する制御情報の例を示す図。
【図４】図２に示した受信画像処理部の構成を示す回路ブロック図。
【図５】図１に示した携帯型電子機器のテレビジョン放送受信時の動作を説明するための図。
【符号の説明】
【００５８】
１０…無線通信部、２０…表示部、３０…通話部、３１…スピーカ、３２…マイクロホン、４０…操作部、５０…記憶部、６０…放送受信部、７０…照度検出部、８０…バッテリ、９０…電圧検出部、１００…制御部、１０１…ユーザ設定取得部、１０２…環境照度取得部、１０３…バッテリ残量算出部、１０４…電子番組表取得部、１０５…消費電流算出部、１０６…サーバアクセス制御部、１０７…受信画像処理部、１０８…表示制御部、１１０…統括制御部、１０７１…デマルチプレクサ、１０７２…デコーダ、１０７３…フレーム補間部、１０７４…フレーム間引き部、１０７５…選択部、１０７６…エンハンサ、１０７７…補正部、ＢＣ…放送局、ＢＳ…基地局装置、ＮＷ…移動通信網。
【図１】
2010041222.tif 000003
【図２】
2010041222.tif 000004
【図３】
2010041222.tif 000005
【図４】
2010041222.tif 000006
【図５】
2010041222.tif 000007